(57)【要約】【課題】メイン電源回路からメイントランスを介して電源電圧を供給されるインバータ回路であって、特に電源電圧が規定電圧より低下することで、上記インバータ回路の駆動が停止した際、上記バックライト駆動用信号を一端オフにすることで上記インバータ回路の駆動の停止を解除できる保護機能を有するインバータ回路に対して、一時的な停電の際、メイン電源を再度入力することなく駆動の復旧が可能なインバータ回路用電源供給回路の提供を目的とする。【解決手段】停電対策回路１２ｃ３を用いて、メイン電源回路１２ａの電源電圧が低下した際、マイコン１１ｄ２から出力されるバックライト駆動信号をツェナーダイオード１８ａと、第一のトランジスタ１９ａ、第二のトランジスタ２０ａを用いてオフすることにより保護回路１７の保護機能を解除する。【選択図】図３
2007287351.tif 000002
【特許請求の範囲】
【請求項１】
映像を表示するための液晶パネルに光源を供給するバックライトと、
交流電源を整流して直流の電源電圧に変換するメイン電源回路と、
上記メイン電源回路からトランスを介して供給された電源電圧を昇圧し、上記バックライトに電源を供給するインバータ回路と、
バックライト駆動用信号に基づいて上記インバータ回路の昇圧を制御するとともに、上記メイン電源回路からの電源電圧の値が規定電圧よりも低下した際は、上記インバータ回路の昇圧を停止させるインバータ制御用ＩＣと、
上記電源電圧が規定電圧より低下することで、上記インバータ回路の駆動が停止した際、上記バックライト駆動用信号を一端オフにすることで上記インバータ回路の駆動の停止を解除できる保護機能を有する保護回路と、
上記インバータ制御用ＩＣにバックライト駆動用信号を出力するマイコンとを有する液晶テレビジョンにおいて、
上記インバータ回路は、上記メイン電源回路からの電源電圧の電圧値を基に、一時的な停電による上記メイン電源回路の電源電圧が低下した際、上記マイコンから出力されるバックライト駆動用信号を一度オフにするとともに、その後上記電源電圧の値が規定電圧以上になった場合は、再度オンにして上記保護回路に出力する停電復旧回路を有し、
上記停電復旧回路は、
上記メイン電源回路からの電源電圧をツェナーダイオードを介して規定電圧と比較し、上記電源電圧が規定電圧以上であれば判定電流を出力する電源電圧判定部と、
上記メイン電源回路からの電源電圧を抵抗を介して第一のトランジスタのベースに出力することで、上記マイコンから出力されるバックライト駆動用信号を上記第一のトランジスタのコレクタからエミッタを介してグランドに放出することで、上記保護回路に出力されるバックライト駆動用信号をオフにするバックライト駆動信号遮断部と、
上記ツェナーダイオードからの判定電流を第二のトランジスタのベースに出力することで、上記メイン電源回路から出力される電源電圧に基づく電流を上記第二のトランジスタのコレクタからエミッタを介してグランドに放出し、上記電源電圧が抵抗を介して上記第一のトランジスタのベースに出力されるのを遮断することで、上記保護回路に出力されるバックライト駆動用信号をオンにする切り替え部とを有することを特徴とする液晶テレビジョン。
【請求項２】
交流電源を整流して直流の電源電圧に変換するメイン電源回路からトランスを介して供給された電源電圧を昇圧し、上記バックライトに電源を供給するインバータ回路と、
上記インバータ回路の昇圧を制御するとともに、上記メイン電源回路からの電源電圧の値が規定電圧よりも低下した際は、上記インバータ回路の昇圧を停止させるインバータ制御用ＩＣと、
上記電源電圧が規定電圧より低下することで、上記インバータ回路の駆動が停止した際、上記バックライト駆動用信号を一端オフにすることで上記インバータ回路の駆動の停止を解除できる保護機能を有する保護回路と、
上記インバータ制御用ＩＣにバックライト駆動用信号を出力する制御部とを有するバックライト用電源供給回路において、
上記インバータ回路は、上記メイン電源回路からの電源電圧の電圧値を基に、一時的な停電による上記メイン電源回路の電源電圧が低下した際、上記制御部から出力されるバックライト駆動用信号を一度オフにするとともに、その後上記電源電圧の値が規定電圧以上になった場合は、再度オンにして上記保護回路に出力する停電復旧手段を有し、
上記停電復旧手段は、
上記メイン電源回路からの電源電圧を規定電圧と比較し、上記電源電圧が規定電圧以上であれば判定電流を出力する電源電圧判定手段と、
上記メイン電源回路からの電源電圧が入力されると、上記制御部から出力されるバックライト駆動用信号をグランドに放出することで、上記保護回路に出力されるバックライト駆動用信号をオフにするバックライト駆動信号遮断手段と、
上記判定電流が入力されると、上記電源電圧をグランドに放出し、上記電源電圧が上記バックライト駆動信号遮断手段に出力されるのを遮断することで、上記保護回路に出力されるバックライト駆動用信号をオンにする切り替え手段とを有することを特徴とするバックライト用電源供給回路。
【請求項３】
上記電源電圧判定手段は、ツェナーダイオードを用いて上記電源電圧が規定電圧以上であるかを判定し、
上記バックライト駆動信号遮断手段は、上記メイン電源回路からの電源電圧を抵抗を介して第一のトランジスタのベースに出力することで、上記制御部から出力されるバックライト駆動用信号を上記第一のトランジスタのコレクタからエミッタを介してグランドに放出し、
上記切り替え手段は、上記電源電圧判定手段からの判定電流を第二のトランジスタのベースに出力することで、上記メイン電源回路から出力される電源電圧に基づく電流を上記第二のトランジスタのコレクタからエミッタを介してグランドに放出し、上記電源電圧が抵抗を介して上記バックライト駆動信号遮断手段の第一のトランジスタのベースに出力されるのを遮断することを特徴とする請求項２に記載のバックライト用電源供給回路。
【請求項４】
上記保護回路は、上記インバータ制御用ＩＣの制御ロジックにて実行されることを特徴とする請求項２または請求項３のいずれかに記載のバックライト用電源供給回路。
【発明の詳細な説明】
【技術分野】
【０００１】
本発明は、バックライトに電源を供給するバックライト用電源供給回路に関し、特に、電圧の低下に対して保護機能を有するバックライト用電源供給回路、および上記バックライト用電源供給回路を使用した液晶テレビジョンに関する。
【背景技術】
【０００２】
図６は、従来のバックライト用電源供給回路を示す図である。同図より、バックライト用電源供給用回路１は、メイン電源回路３、メイントランス４、インバータ回路５、トランス６、制御部８、判定回路９を有する構成である。メイン電源回路３は、コンセント２から入力された商用１００Ｖ交流電源を整流並びに減圧し、メイントランス４から分圧をすることでインバータ回路５に電源を供給する。また、メイントランス４は、インバータ回路５以外にも、さまざまな回路に電源を供給している。インバータ回路５は、ＭＯＳＦＥＴなどのスイッチング作用によりメイントランス４を介して分圧した電源をバックライト７に必要な出力電圧に昇圧するためのものである。このとき、上記したＭＯＳＦＥＴは、インバータ回路５に実装されたインバータ制御用ＩＣ５ａの制御の基、スイッチング作用を実行する。
【０００３】
制御部８は、メイン電源回路３の駆動、並びにインバータ回路５の駆動を制御するものである。図示しないリモコンを介して、バックライト７の電源入力の指示がなされると、制御部８は、メイン電源回路３の駆動を開始させるとともに、インバータ制御用ＩＣ５ａにスイッチング作用を開始させるためのＢＬ＿ｏｎ信号を出力する。これにより、インバータ回路５は、メイントランス４を介して入力された電源を昇圧し、トランス６を介してバックライト７に出力電圧を供給する。また、トランス６の二次側コイルでは、バックライトの出力電圧を判定回路９にて判定しており、判定回路９が、出力電圧の異常を判定した場合は、フィードバック信号を制御部８に出力する。制御部８は、フィードバック信号を受け取り、メイン電源回路３の電源の制御を行う。
【０００４】
しかしながら、一時的な停電（瞬停）などで、コンセント２から供給される商用電源が低下すると、当然メイン電源回路３からトランス４を介して入力される電源電圧は低下するため、ＢＬ＿ｏｎ信号の電圧値が減圧することとなる。このとき、インバータ制御用ＩＣ５ａは、ＢＬ＿ｏｎ信号を認識せず、インバータ回路５の駆動を停止させる。インバータ制御用ＩＣは、プロテクト機能として、ＢＬ＿ｏｎ信号の電圧値が減圧した際は、インバータ回路５の駆動を停止する保護回路５ａ１を有している。これは、インバータ回路５にて生成される出力電圧が１０００Ｖ異常と高圧なため、一度制御部８からのＢＬ＿ｏｎ信号をオフ（メイン電源停止）にして、インバータ回路５の誤動作によるバックライト７の損傷を防止するためのものである。このため、上述した一時的な停電時には、ユーザは、液晶テレビを再度駆動させるために、メイン電源を再度入力する必要があった。
【０００５】
一時的な停電などで、メイン電源回路を制御する制御用ＩＣがラッチ状態に移行した際、上記ラッチ状態を解除するスイッチ手段と制御手段を有する方法が開示されている（例えば、特許文献１参照。）。
【特許文献１】特開２００４−３５５８６５
【発明の開示】
【発明が解決しようとする課題】
【０００６】
上述した特許文献１の発明は、次のような課題があった。つまり、特許文献１の発明は、メイン電源回路からメイントランスを介して電源を供給されるインバータ回路についてまで述べてはいなかった。そのため、メイン電源回路側に制御ＩＣを備えるとともに、インバータ側にも制御ＩＣを備える構成においては、一時的な停電に対してインバータ側のインバータ制御用ＩＣの対策も必要であった。
【０００７】
本発明は、上記課題にかんがみてなされたもので、メイン電源回路からメイントランスを介して電源電圧を供給されるインバータ回路であって、特に電源電圧が規定電圧より低下することで、上記インバータ回路の駆動が停止した際、上記バックライト駆動用信号を一端オフにすることで上記インバータ回路の駆動の停止を解除できる保護機能を有するインバータ回路に対して、一時的な停電の際、メイン電源を再度入力することなく駆動の復旧が可能なインバータ回路用電源供給回路、ならびに上記インバータ回路用電源供給回路を使用する液晶テレビジョンの提供を目的とする。
【課題を解決するための手段】
【０００８】
上記課題を解決するために、本発明の請求項１にかかる発明では、映像を表示するための液晶パネルに光源を供給するバックライトと、交流電源を整流して直流の電源電圧に変換するメイン電源回路と、上記メイン電源回路からトランスを介して供給された電源電圧を昇圧し、上記バックライトに電源を供給するインバータ回路と、上記インバータ回路の昇圧を制御するとともに、上記メイン電源回路からの電源電圧の値が規定電圧よりも低下した際は、上記インバータ回路の昇圧を停止させるインバータ制御用ＩＣと、上記電源電圧が規定電圧より低下することで、上記インバータ回路の駆動が停止した際、上記バックライト駆動用信号を一端オフにすることで上記インバータ回路の駆動の停止を解除できる保護機能を有する保護回路と、上記インバータ制御用ＩＣにバックライト駆動用信号を出力するマイコンとを有する液晶テレビジョンにおいて、
上記インバータ回路は、上記メイン電源回路からの電源電圧の電圧値を基に、一時的な停電による上記メイン電源回路の電源電圧が低下した際、上記マイコンから出力されるバックライト駆動用信号を一度オフにするとともに、その後上記電源電圧の値が規定電圧以上になった場合は、再度オンにして上記保護回路に出力する停電復旧回路を有し、上記停電復旧回路は、上記メイン電源回路からの電源電圧をツェナーダイオードを介して規定電圧と比較し、上記電源電圧が規定電圧以上であれば判定電流を出力する電源電圧判定部と、上記メイン電源回路からの電源電圧を抵抗を介して第一のトランジスタのベースに出力することで、上記マイコンから出力されるバックライト駆動用信号を上記第一のトランジスタのコレクタからエミッタを介してグランドに放出することで、上記保護回路に出力されるバックライト駆動用信号をオフにするバックライト駆動信号遮断部と、上記ツェナーダイオードからの判定電流を第二のトランジスタのベースに出力することで、上記メイン電源回路から出力される電源電圧に基づく電流を上記第二のトランジスタのコレクタからエミッタを介してグランドに放出し、上記電源電圧が抵抗を介して上記第一のトランジスタのベースに出力されるのを遮断することで、上記保護回路に出力されるバックライト駆動用信号をオンにする切り替え部とを有する構成としてある。
【０００９】
上記のように構成した請求項１にかかる発明においては、インバータ回路は、メイン電源回路から供給される直流電源を用いてバックライトに出力電圧を供給するとともに、停電により上記メイン電源回路からの電源電圧の値が規定値よりも低下した際は、インバータ制御用ＩＣの保護回路が上記インバータ回路の昇圧を停止させる保護機能を有している。上記保護回路の保護機能は、上記バックライト駆動用信号を一端オフにすることで解除することが可能である。このたえ、インバータ回路は、一時的な停電における上記保護回路の保護機能を解除するために、停電復旧回路を有する構成である。上記停電復旧回路は、一時的な停電による上記メイン電源回路の電源電圧が低下した際、上記マイコンから出力されるバックライト駆動用信号を一度オフにするとともに、その後上記電源電圧の値が規定電圧以上になった場合は、再度オンにして上記保護回路に出力する。そのため、停電復旧回路は、電源電圧判定回路と、バックライト駆動信号遮断部と、切り替え部を有し、メイン電源回路から供給される電源電圧の値に基づいて、マイコンからのバックライト駆動電圧のオンとオフとを制御する。
【００１０】
また、上記目的を達成するために、請求項２に記載のバックライト用電源供給回路では、交流電源を整流して直流の電源電圧に変換するメイン電源回路からトランスを介して供給された電源電圧を昇圧し、上記バックライトに電源を供給するインバータ回路と、上記インバータ回路の昇圧を制御するとともに、上記メイン電源回路からの電源電圧の値が規定電圧よりも低下した際は、上記インバータ回路の昇圧を停止させるインバータ制御用ＩＣと、上記電源電圧が規定電圧より低下することで、上記インバータ回路の駆動が停止した際、上記バックライト駆動用信号を一端オフにすることで上記インバータ回路の駆動の停止を解除できる保護機能を有する保護回路と、上記インバータ制御用ＩＣにバックライト駆動用信号を出力する制御部とを有するバックライト用電源供給回路において、
上記インバータ回路は、上記メイン電源回路からの電源電圧の電圧値を基に、一時的な停電による上記メイン電源回路の電源電圧が低下した際、上記制御部から出力されるバックライト駆動用信号を一度オフにするとともに、その後上記電源電圧の値が規定電圧以上になった場合は、再度オンにして上記保護回路に出力する停電復旧手段を有し、上記停電復旧手段は、上記メイン電源回路からの電源電圧を規定電圧と比較し、上記電源電圧が規定電圧以上であれば判定電流を出力する電源電圧判定手段と、上記メイン電源回路からの電源電圧が入力されると、上記制御部から出力されるバックライト駆動用信号をグランドに放出することで、上記保護回路に出力されるバックライト駆動用信号をオフにするバックライト駆動信号遮断手段と、上記判定電流が入力されると、上記電源電圧をグランドに放出し、上記電源電圧が上記バックライト駆動信号遮断手段に出力されるのを遮断することで、上記保護回路に出力されるバックライト駆動用信号をオンにする切り替え手段とを有する構成としてある。
【００１１】
上記のように構成した請求項２にかかる発明において、インバータ回路は、メイン電源回路から供給される直流電源を用いてバックライトに出力電圧を供給するとともに、停電により上記メイン電源回路からの電源電圧の値が規定値よりも低下した際は、インバータ制御用ＩＣの保護回路が上記インバータ回路の昇圧を停止させる保護機能を有している。上記保護回路の保護機能は、上記バックライト駆動用信号を一端オフにすることで解除することが可能である。このたえ、インバータ回路は、一時的な停電における上記保護回路の保護機能を解除するために、停電復旧手段を有する構成である。上記停電復旧手段は、一時的な停電による上記メイン電源回路の電源電圧が低下した際、上記マイコンから出力されるバックライト駆動用信号を一度オフにするとともに、その後上記電源電圧の値が規定電圧以上になった場合は、再度オンにして上記保護回路に出力する。そのため、停電復旧手段は、電源電圧判定手段と、バックライト駆動信号遮断手段と、切り替え手段を有し、メイン電源回路から供給される電源電圧の値に基づいて、マイコンからのバックライト駆動電圧のオンとオフとを制御する。
【００１２】
そして、請求項３にかかる発明では、請求項２に記載のバックライト用電源供給回路において、上記電源電圧判定手段は、ツェナーダイオードを用いて上記電源電圧が規定電圧以上であるかを判定し、上記バックライト駆動信号遮断手段は、上記メイン電源回路からの電源電圧を抵抗を介して第一のトランジスタのベースに出力することで、上記制御部から出力されるバックライト駆動用信号を上記第一のトランジスタのコレクタからエミッタを介してグランドに放出し、上記切り替え手段は、上記電源電圧判定手段からの判定電流を第二のトランジスタのベースに出力することで、上記メイン電源回路から出力される電源電圧に基づく電流を上記第二のトランジスタのコレクタからエミッタを介してグランドに放出し、上記電源電圧が抵抗を介して上記バックライト駆動信号遮断手段の第一のトランジスタのベースに出力されるのを遮断する構成としてある。
【００１３】
上記のように構成した請求項３にかかる発明において、電源電圧判定手段は、ツェナーダイオードを用いて電源電圧と規定電圧の比較の判定を行う。さらに、バックライト駆動信号遮断手段は、第一のトランジスタのコレクタとエミッタ間の切り替えを電源電圧を基に行うことにより、制御部から出力されるバックライト駆動信号をグランドに放出し、上記切り替え手段は、第二のトランジスタのベースに上記電源電圧判定手段からの判定電流を出力することで、上記第一のトランジスタが上記バックライト駆動信号をグランドに放出するのを制御する。
【００１４】
さらに、請求項４にかかる発明では、請求項２または請求項３のいずれかに記載のバックライト用電源供給回路において、上記保護回路は、上記インバータ制御用ＩＣの制御ロジックにて実行されることを特徴とする構成としてある。
【００１５】
上記のように構成した請求項４にかかる発明において、上述した保護回路はインバータ制御用ＩＣの制御ロジックにて実行されるものであってもよい。
【発明の効果】
【００１６】
以上説明したように本発明によれば、電源電圧が規定電圧より低下することで、上記インバータ回路の駆動が停止した際、上記バックライト駆動用信号を一端オフにすることで上記インバータ回路の駆動の停止を解除できる保護機能を有するインバータ回路に対して、一時的な停電の際、メイン電源を再度入力することなく駆動の復旧が可能なインバータ回路用電源供給回路、ができる。
また請求項３にかかる発明によれば、停電復旧回路を市販のツェナーダイオードや、トランジスタにて構成するので、安価なコストで生成できるとともに、ツェナーダイオードを交換することで規定電圧を変更することができ、簡単に停電復旧回路の条件を変更することができる。
そして請求項４にかかる発明によれば、インバータ制御用ＩＣに保護回路を実装したものにも応用することができる。
さらに請求項１のような、より具体的な構成において、上述した請求項２〜請求項４の各発明と同様の作用を奏することはいうまでもない。
【発明を実施するための最良の形態】
【００１７】
本発明のバックライト用電源供給回路の具体的な説明として、上記バックライト用電源供給回路を使用する液晶テレビジョンを基に説明する。
以下、下記の順序に従って本発明の実施形態を説明する。
（１）液晶テレビジョンの構成
（２）バックライト供給用電源回路の構成
（３）変形例１
（４）まとめ
【００１８】
（１）バックライト用電源供給回路の構成 
以下、図１、図２、図３、図４、図５を参照して、この発明に係るバックライト用電源供給用回路を使用した液晶テレビジョン１０の形態について説明する。図１は本考案の液晶テレビジョン１０のブロック構成図である。同図より、液晶テレビジョン１０は、ディジタル基板１１と、アナログ基板１２と、液晶ディスプレイ１３と、スピーカ１４とを有する表示装置１５と、さらにはリモコン１６とから構成されている。以下に各部品の機能について説明していく。
【００１９】
ディジタル基板１１には、チューナ部１１ａと、映像回路１１ｂと、音声回路１１ｃと、制御部１１ｄとを有する構成である。図１より、ディジタル基板１１内の各構成要素は、バス１１ｅにて制御部１１ｄと結ばれ、制御部１１ｄの制御のもと各機能を実施している。制御部１１ｄは、制御中枢としてのマイコン１１ｄ２と、ＲＯＭやＲＡＭ等の記録部１１ｄ３と、リモコン１６からの操作信号を受入れる赤外線受光変換部１１ｄ１とを有する構成である。リモコン１６の操作キー１６ｃの操作により赤外線送信部１６ａが赤外線受光変換部１１ｄ１に送信されると、赤外線受光変換部１１ｄ１は、上記受入れた赤外線信号を所定の電圧を有する操作信号に変換しマイコン１１ｄ２に出力する。マイコン１１ｄ２は、上記赤外線受光変換部１１ｄ１からの操作信号を受け取って、記録部１１ｄ３に記録された制御プログラムを基にバス１１ｅを介してディジタル基板１１上の各要素に制御信号を出力する。
【００２０】
チューナ部１１ａは、制御部１１ｄからの操作信号を受け入れると、アンテナ１１ａ１が受信したテレビジョン電波の特定の周波数帯のみを選択し、上記選択された特定周波数帯のテレビジョン電波を基に映像信号と音声信号を生成するクロマ制御を行う。上記生成された映像信号は映像回路１１ｂへ送られ、音声信号は音声回路１１ｃへ送られる。本考案のチューナ部１１ａとしてはＰＬＬ方式のアナログ放送を受信するものであってもよいし、アナログ放送とディジタル放送の双方を受信する物、さらにはディジタル放送のみを受信するものであってもよい。
【００２１】
映像回路１１ｂは、上記生成された映像信号を受け入れ、画面を構成するためのＲＧＢの各階調に対応するＲＧＢ信号を生成するとともに、上記生成したＲＧＢ信号に所定の信号処理を行う。さらに、後述する液晶パネル１３ｂの画素数に対応するよう上記ＲＧＢ信号を分解し液晶パネル１３ｂに出力する。
【００２２】
音声回路１１ｃは、上記生成された音声信号を受け入れ、制御部１１ｄからの制御信号に基づいて、上記音声信号を増幅等の信号処理を行う。信号処理を施された音声信号は、その後スピーカ１４に出力され音声として出力される。
【００２３】
液晶ディスプレイ１３は、液晶物質を充填した画素をマトリクス状に配置した液晶パネル１３ｂと、上記液晶パネル１３ｂに駆動電圧を印加する駆動回路１３ａと、液晶パネル１３ｂの背面から光を照らすバックライト１３ｃとを有する構成である。駆動回路１３ａは、映像回路１１ｂにより液晶パネル１３ｂの各画素に対応して分割されたＲＧＢ信号を基に液晶パネル１３ｂの所定の画素に対して行ごとに印加電圧である駆動電圧を印加していく。液晶パネル１３ｂは、駆動電圧により分子の配列が変化する液晶物質を充填した画素をマトリクス状に配置している。上記した画素はＲＧＢの各色に対応する画素を一組として有しており、駆動回路１３ａからの印加電圧により特定の画素のバックライト１３ｃからの光の透過率を変化させることでＲＧＢの各階調を変化させカラー画面を表示する。
【００２４】
バックライト１３ｃは、上述したように液晶パネル１３ｂの背後より光を当てて、画素が透過する光の光源として利用される。バックライト１３ｃが使用する蛍光管としては冷陰極間等が挙げられ、形状はＵ字管や、直管、さらには擬似Ｕ字管を使用してもよい。
【００２５】
アナログ基板１２は、上述したディジタル基板１１や、液晶ディスプレイ１３に必要な電源を供給する。アナログ基板１２の概略機能としては、商用１００ボルト電源を整流したのち、トランスにて絶縁して、各ＤＣ／ＤＣコンバータ側に出力する。ＤＣ／ＤＣコンバータ側では、昇圧や、減圧を行うことで安定化交流電源を生成し、ディジタル基板１１や、液晶ディスプレイ１３に電源を供給する。
【００２６】
図２はアナログ基板１２のブロック構成図を表す図である。同図より、アナログ基板１２は、メイン電源回路１２ａ、メイントランス１２ｂ、インバータ回路１２ｃ、トランス１２ｄ、検出回路１２ｆ、フィードバック制御回路１２ｅとを有する構成である。また、図示しないが、上記したメイン電源回路１２ａからメイントランス１２ｂを介して供給される電源を基に所定の交流電源を生成する複数のＤＣ／ＤＣコンバータを有するが、本発明は、インバータ回路１２ｃに関するので、省略することとする。以下にアナログ基板１２の機能を説明する。
【００２７】
メイン電源回路１２ａは、コンセント１２ｇから供給された商用１００Ｖ交流電源を、全波整流して直流電源に変換した後、メイントランス１２ｂの一次側コイル１２ｂ１に印加する。本発明のメイン電源回路１２ａの整流作用は、ダイオードを用いたブリッジ回路等により実現可能である。メイントランス１２ｂの一次側コイル１２ｂ１の反対側には、巻き線比の異なる二次側コイル１２ｂ２が配置され相互誘導により二次側コイル１２ｂ２に起電力が発生する。また、二次側コイル１２ｂ２には分圧によって上記起電力をインバータ回路１２ｃや、図示しない各ＤＣ／ＤＣコンバータに出力する。
【００２８】
インバータ回路１２ｃは、二次側コイル１２ｂ２より供給された電圧を基に、スイッチング回路１２ｃ２により昇圧を行う。スイッチング回路１２ｃ２は、４つのＭＯＳＦＥＴにより構成され、インバータ制御用ＩＣ１２ｃ１は、上記した４つのＭＯＳＦＥＴを制御することにより、直流電源から正の半周期と負の半周期を有する交流電源を生成する。また、インバータ回路１２ｃには、保護回路１７と、後述する停電復旧回路１２ｃ３が実装されている。保護回路１７は、二次側コイル１２ｂ２の電源電圧が規定電圧より低下することで、インバータ回路１２ｃの駆動が停止した際、マイコン１１ｄ２からのバックライト駆動用信号を一端オフにすることで上記インバータ回路の駆動の停止を解除できる保護機能を有している。
【００２９】
このため、スイッチング回路１２ｃ２は、インバータ制御用ＩＣ１２ｃ１に二次側コイル１２ｂ２の電圧値の分圧値を受け入れ、保護回路１７にて、ディジタル基板１１のマイコン１１ｄ２から出力されるバックライト駆動信号としてのＢＬ＿ｏｎ信号とを受け入れることで駆動している。本発明の実施の形態としては、メイントランス１２ｂにて生成した２４ボルト電圧を分圧して、５ボルトの電圧値をインバータ制御用ＩＣ１２ｃ２に出力する。
【００３０】
こうして、スイッチング回路１２ｃ２により生成された交流電源は、トランス１２ｄの一次側コイル１２ｄ１に印加される。一次側コイル１２ｄ１の反対側には、巻線比が異なる二次側コイル１２ｄ２が配置されており、相互誘導により二次側コイル１２ｄ２にも起電力が印加されバックライト１３ｃに電源が供給される。また、バックライト１３ｃの二次側コイル１２ｄ２には、検出回路１２ｆが接続されている。検出回路１２ｆは、バックライト１３ｃに出力される出力電圧の値を判定し、上記した出力電圧が基準値よりも大きい場合は、フィードバック制御回路１２ｅにフィードバック信号を出力する。フィードバック制御回路１２ｅでは、上記したフィードバック信号を受け入れるとメイン電源回路１２ａが一次側コイル１２ｂ１に出力する電圧値を調整するようフィードバック制御を行う。
【００３１】
（２）インバータ回路の構成
図３はインバータ回路の拡大図である。同図より、停電復旧回路１２ｃ３は、電源電圧判定部１８と、バックライト駆動信号遮断部１９と、切り替え部２０とを有する構成である。電源電圧判定部１８は、メイン電源回路１２ａからの電源電圧をツェナーダイオード１８ａを介して規定電圧と比較し、上記電源電圧が規定電圧以上であれば判定電流を出力する。バックライト駆動信号遮断部１９は、メイン電源回路１２ａからの電源電圧を抵抗Ａを介して第一のトランジスタ１９ａのベース１９ａ１に出力することで、マイコン１１ｄ２から出力されるバックライト駆動用信号ＢＬ＿ｏｎを第一のトランジスタ１９ａのコレクタ１９ａ２からエミッタ１９ａ３を介してグランド２１に放出することで、保護回路１７に出力されるＢＬ＿ｏｎ信号をオフにする。切り替え部２０は、ツェナーダイオード１８ａからの判定電流を第二のトランジスタ２０ａのベース２０ａ１に出力することで、メイン電源回路１２ａから出力される電源電圧に基づく電流を第二のトランジスタ２０ａのコレクタ２０ａ２からエミッタ２０ａ３を介してグランド２１に放出し、電源電圧が抵抗ａＡを介して第一のトランジスタ１９ａのベース１９ａ１に出力されるのを遮断することで、保護回路１７に出力されるＢＬ＿ｏｎ信号をオンにする。
【００３２】
ツェナーダイオード１８ａの規格としては、２０ボルト以上の電圧値により降伏電流が流れるような構成とすることで、メイン電源回路１２ａからの供給電圧が２０ボルトを下回る場合は、一時的な停電が発生したとみなすこととした。また、第一のトランジスタ１９ａと、第二のトランジスタ２０ａはｎｐｎ型トランジスタを使用している。上記のように、メイン電源回路１２ａからの電圧の低下をツェナーダイオードと、ｎｐｎ型トランジスタを用いて構成することにより、市販された安価な製品にて回路を構成することが可能となる。また、ツェナーダイオードを使用することで、一時的な停電であるとみなす際のしきい値を、ツェナーダイオードを交換することにより簡易に変更することが可能となる。
【００３３】
以下に停電復旧回路１２ｃ３の具体的な作用を説明する。図４は、メイン電源回路から供給される電圧値が２０ボルト以上の場合の停電復旧回路１２ｃ３の作用を示す図である。図５は、メイン電源回路から供給される電圧値が２０ボルト以下の場合の停電復旧回路１２ｃ３の作用を示す図である。図４より、メイン電源回路１２ａから供給される電圧が２０ボルト以上の場合、電源電圧は、ツェナーダイオード１８ａを降伏し、ツェナーダイオード１８ａは降伏電流を第二のトランジスタ２０ａのベース２０ａ１に出力する。また、電源電圧は分圧によって抵抗Ａに出力され電流を生じる、上記電流は、第二のトランジスタ２０ａのコレクタ２０ａ２に流れる。このとき、第二のトランジスタ２０ａのベース２０ａ１には、降伏電流が流れているので、コレクタ２０ａ２に流れる電流はエミッタ２０ａ３に流れ、グランド２１にて放出される。このとき、ＢＬ＿ｏｎ信号は、保護回路１７のトランジスタ１７ａのコレクタ１７ａ２を流れるので、インバータ制御用ＩＣ１２ｃ１から出力される起動信号は、スイッチング回路１２ｃ２に出力される。これにより、スイッチング回路１２ｃ２は、バックライト１３ｃを駆動するための出力電圧を生成する
【００３４】
次に図５より、メイン電源回路１２ａから供給される電圧が２０ボルト以下の場合、メイン電源回路１２ａからの電源電圧はツェナーダイオード１８ａを印加するが、電源電圧が２０ボルト以下のためツェナーダイオード１８ａは降伏電流を長さない。このため、抵抗Ａにて電源電圧の分圧値により発生した電流は、第二のトランジスタ２０ａを流れず、第一のトランジスタ１９ａのベース１９ａ１に流れる。また、このときマイコン１１ｄ２から出力されたＢＬ＿ｏｎ信号は、第一のトランジスタ１９ａのコレクタ１９ａ２とエミッタ１９ａ３が同通するため保護回路１７のトランジスタ１７ａのベース１７ａ１に流れず、第一のトランジスタ１９ａを介してグランド２１に放出される。このためインバータ制御用ＩＣ１２ｃ１の起動信号は、保護回路１７のトランジスタ１７ａを流れず、スイッチング回路１２ｃ２を駆動しない。上記したメイン電源回路１２ａの供給電圧の低下は一時的なものであり、供給電圧はすぐに２０ボルト以上に復帰するので結果としてマイコン１１ｄ２から供給されるＢＬ＿ｏｎ信号はオフからオンに変化し、インバータ制御用ＩＣ１２ｃ２はスイッチング回路１２ｃ２の駆動の制御を再開する。
【００３５】
（３）変形例
上述したインバータ回路１２ｃは、保護回路１７をトランジスタ１７ａを使用して実装されたものであったが、インバータ制御用ＩＣ１２ｃ１内のロジック回路を用いて実装されたものであっても応用することが可能である。インバータ制御用ＩＣ１２ｃ１内のロジックにて保護回路１７が構成されている場合は、インバータ制御用ＩＣ１２ｃ１のマイコン１１ｄ２から出力されるＢＬ＿ｏｎ信号を入力する端子を、停電復旧回路１２ｃ３のバックライト駆動信号遮断部１９の第一のトランジスタ１９ａと接続すれば上述した場合と同等の機能を得ることが可能となる。
【００３６】
（４）まとめ
以上説明したように、メイン電源回路からメイントランスを介して電源電圧を供給されるインバータ回路であって、特に電源電圧が規定電圧より低下することで、上記インバータ回路の駆動が停止した際、上記バックライト駆動用信号を一端オフにすることで上記インバータ回路の駆動の停止を解除できる保護機能を有するインバータ回路に対して、停電対策回路を用いて、マイコンからのバックライト駆動信号を一時的な停電の際にオフするので、メイン電源を再度入力することなく駆動の復旧が可能なインバータ回路用電源供給回路を使用する液晶テレビジョンを提供することができる。
【００３７】
また、請求項２に記載のバックライト用電源供給回路では、交流電源を整流して直流の電源電圧に変換するメイン電源回路からトランスを介して供給された電源電圧を昇圧し、上記バックライトに電源を供給するインバータ回路と、上記インバータ回路の昇圧を制御するとともに、上記メイン電源回路からの電源電圧の値が規定電圧よりも低下した際は、上記インバータ回路の昇圧を停止させるインバータ制御用ＩＣと、上記電源電圧が規定電圧より低下することで、上記インバータ回路の駆動が停止した際、上記バックライト駆動用信号を一端オフにすることで上記インバータ回路の駆動の停止を解除できる保護機能を有する保護回路と、上記インバータ制御用ＩＣにバックライト駆動用信号を出力する制御部とを有するバックライト用電源供給回路において、
上記インバータ回路は、上記メイン電源回路からの電源電圧の電圧値を基に、一時的な停電による上記メイン電源回路の電源電圧が低下した際、上記制御部から出力されるバックライト駆動用信号を一度オフにするとともに、その後上記電源電圧の値が規定電圧以上になった場合は、再度オンにして上記保護回路に出力する停電復旧手段を有し、上記停電復旧手段は、上記メイン電源回路からの電源電圧を規定電圧と比較し、上記電源電圧が規定電圧以上であれば判定電流を出力する電源電圧判定手段と、上記メイン電源回路からの電源電圧が入力されると、上記制御部から出力されるバックライト駆動用信号をグランドに放出することで、上記保護回路に出力されるバックライト駆動用信号をオフにするバックライト駆動信号遮断手段と、上記判定電流が入力されると、上記電源電圧をグランドに放出し、上記電源電圧が上記バックライト駆動信号遮断手段に出力されるのを遮断することで、上記保護回路に出力されるバックライト駆動用信号をオンにする切り替え手段とを有する構成としてある。
【００３８】
上記のように構成した請求項２にかかる発明において、インバータ回路は、メイン電源回路から供給される直流電源を用いてバックライトに出力電圧を供給するとともに、停電により上記メイン電源回路からの電源電圧の値が規定値よりも低下した際は、インバータ制御用ＩＣの保護回路が上記インバータ回路の昇圧を停止させる保護機能を有している。上記保護回路の保護機能は、上記バックライト駆動用信号を一端オフにすることで解除することが可能である。このたえ、インバータ回路は、一時的な停電における上記保護回路の保護機能を解除するために、停電復旧手段を有する構成である。上記停電復旧手段は、一時的な停電による上記メイン電源回路の電源電圧が低下した際、上記マイコンから出力されるバックライト駆動用信号を一度オフにするとともに、その後上記電源電圧の値が規定電圧以上になった場合は、再度オンにして上記保護回路に出力する。そのため、停電復旧手段は、電源電圧判定手段と、バックライト駆動信号遮断手段と、切り替え手段を有し、メイン電源回路から供給される電源電圧の値に基づいて、マイコンからのバックライト駆動電圧のオンとオフとを制御するので、一時的な停電の際、メイン電源を再度入力することなく駆動の復旧が可能なインバータ回路用電源供給回路、ができる。
【００３９】
そして、請求項３にかかる発明では、請求項２に記載のバックライト用電源供給回路において、上記電源電圧判定手段は、ツェナーダイオードを用いて上記電源電圧が規定電圧以上であるかを判定し、上記バックライト駆動信号遮断手段は、上記メイン電源回路からの電源電圧を抵抗を介して第一のトランジスタのベースに出力することで、上記制御部から出力されるバックライト駆動用信号を上記第一のトランジスタのコレクタからエミッタを介してグランドに放出し、上記切り替え手段は、上記電源電圧判定手段からの判定電流を第二のトランジスタのベースに出力することで、上記メイン電源回路から出力される電源電圧に基づく電流を上記第二のトランジスタのコレクタからエミッタを介してグランドに放出し、上記電源電圧が抵抗を介して上記バックライト駆動信号遮断手段の第一のトランジスタのベースに出力されるのを遮断する構成としてある。
【００４０】
上記のように構成した請求項３にかかる発明において、電源電圧判定手段は、ツェナーダイオードを用いて電源電圧と規定電圧の比較の判定を行う。さらに、バックライト駆動信号遮断手段は、第一のトランジスタのコレクタとエミッタ間の切り替えを電源電圧を基に行うことにより、制御部から出力されるバックライト駆動信号をグランドに放出し、上記切り替え手段は、第二のトランジスタのベースに上記電源電圧判定手段からの判定電流を出力することで、上記第一のトランジスタが上記バックライト駆動信号をグランドに放出するのを制御することができ、停電復旧回路を市販のツェナーダイオードや、トランジスタにて構成するので、安価なコストで生成できるとともに、ツェナーダイオードを交換することで規定電圧を変更することができ、簡単に停電復旧回路の条件を変更することができる。
【００４１】
さらに、請求項４にかかる発明では、請求項２または請求項３のいずれかに記載のバックライト用電源供給回路において、上記保護回路は、上記インバータ制御用ＩＣの制御ロジックにて実行されることを特徴とする構成としてある。
【００４２】
上記のように構成した請求項４にかかる発明において、上述した保護回路はインバータ制御用ＩＣの制御ロジックにて実行されるものであってもよい。
【００４３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４４】
【図１】液晶テレビジョンのブロック構成図である。
【図２】アナログ基板のブロック構成図である。
【図３】インバータ回路の拡大図である。
【図４】電源電圧が２０ボルト以上のときの電流の流れを示す図である。
【図５】電源電圧が２０ボルト以下のときの電源電圧の流れを示す図である。
【図６】従来のバックライト用電源供給回路を示す図である。
【符号の説明】
【００４５】
１０…液晶テレビジョン、１１…ディジタル基板、１１ａ…チューナ部、１１ａ１…アンテナ、１１ｂ…映像回路、１１ｃ…音声回路、１１ｄ…制御部、１１ｅ…バス、１１ｄ１…赤外線受光変換部、１１ｄ２…マイコン、１１ｄ３…記録部、１２…アナログ基板、１２ａ…メイン電源回路、１２ｂ…メイントランス、１２ｂ１…一次側コイル、１２ｂ２…二次側コイル、１２ｃ…インバータ回路、１２ｃ１…インバータ制御用ＩＣ、１２ｃ２…スイッチング回路、１２ｃ３…停電復旧回路、１２ｄ…トランス、１２ｄ１…一次側コイル、１２ｄ２…二次側コイル、１２ｅ…フィードバック制御回路、１２ｆ…検出回路、１２ｇ…コンセント、１３…液晶ディスプレイ、１３ａ…駆動回路、１３ｂ…液晶パネル、１３ｃ…バックライト、１４…スピーカ、１５…表示装置、１６…リモコン、１６ａ…赤外線送信部、１６ｂ…電源キー、１６ｃ…操作キー、１７…保護回路、１７ａ…トランジスタ、１７ａ１…ベース、１７ａ２…コレクタ、１８…電源電圧判定部、１８ａ…ツェナーダイオード、１９…バックライト駆動信号遮断部、１９ａ…トランジスタ、１９ａ１…ベース、１９ａ２…コレクタ、１９ａ３…エミッタ、２０…切り替え部、２０ａ…トランジスタ、２０ａ１…ベース、２０ａ２…コレクタ、２０ａ３…エミッタ、２１…グランド、
【図１】
2007287351.tif 000003
【図２】
2007287351.tif 000004
【図３】
2007287351.tif 000005
【図４】
2007287351.tif 000006
【図５】
2007287351.tif 000007
【図６】
2007287351.tif 000008